(57)【要約】【課題】軒樋と軒樋継手とを違和感少なく接続させることで外観の向上を図り、軒樋継手に流下痕の生成防止を施すことで良好な外観の維持を図る。【解決手段】隣接する軒樋１の長さ方向の端部同士を対向して配置する。隣接する軒樋１の間に軒樋継手２を配置する。軒樋継手２の内面にそれぞれの軒樋１の外面を沿わせて接続する。軒樋１の屋外側に位置する前壁部４を上前壁部４ａと下前壁部４ｂとで構成する。上前壁部４ａと下前壁部４ｂとの間に軒樋長さ方向に亙って屋内側に凹没した軒樋条溝６を形成する。上前壁部４ａを上方程屋内側に傾斜させる。軒樋継手２の前面部９を上前壁部４ａを被覆する上前面部９ａと下前壁部４ｂを被覆する下前面部９ｂとで構成する。上前面部９ａと下前面部９ｂとの間に軒樋長さ方向及び屋外側に開口するスリット１１を形成する。スリット１１を通して軒樋条溝６を屋外側に露出させる。【選択図】        図１
2004211464.tif 000002
【特許請求の範囲】
【請求項１】
隣接する軒樋の長さ方向の端部同士を対向して配置し、この隣接する軒樋の間に軒樋継手を配置し、軒樋継手の内面にそれぞれの軒樋の外面を沿わせて接続し、軒樋の屋外側に位置する前壁部を上前壁部と下前壁部とで構成すると共に、上前壁部と下前壁部との間に軒樋長さ方向に亙って屋内側に凹没した軒樋条溝を形成し、上前壁部を上方程屋内側に傾斜させ、軒樋継手の前面部を上前壁部を被覆する上前面部と下前壁部を被覆する下前面部とで構成し、上前面部と下前面部との間に軒樋長さ方向及び屋外側に開口するスリットを形成し、このスリットを通して軒樋条溝を屋外側に露出させたことを特徴とする軒樋の接続構造。
【請求項２】
上方程屋内側に傾斜させた上前面部の下端を下前面部よりも屋外側に位置させ、上前面部の下端に下方に行く程肉厚が薄くなって尖る水切り突条を形成したことを特徴とする請求項１記載の軒樋の接続構造。
【請求項３】
軒樋継手の軒樋長さ方向の中央部で上前面部の下端と下前面部の上端とを連結リブにて連結し、この連結リブの上前面部側の部位に水切り用の凹溝部を上方に凹没させて形成したことを特徴とする請求項１記載の軒樋の接続構造。
【発明の詳細な説明】
【０００１】
【発明の属する技術分野】
本発明は、隣接する軒樋を接続させる軒樋の接続構造に関する発明である。
【０００２】
【従来の技術】
建物の軒先に配設される軒樋１は、一般的に、底壁部３の屋外側端部から前壁部４を立設させると共に底壁部３の屋内側端部から後壁部５を立設させて形成される縦断面略Ｕ字状の長尺部材であるが、たとえば図９，１０に示す軒樋１のように、その前壁部４を上前壁部４ａと下前壁部４ｂとで構成し、上前壁部４ａと下前壁部４ｂとの間に軒樋長さ方向に亙って屋内側に凹没させた軒樋条溝６を形成し、上前壁部４ａを上方程後方に位置するような傾斜を施したものがある。この軒樋１によると、図１０（ａ）の矢印Ｄに示すように、上前壁部４ａに降り掛かった雨水は上前壁部４ａの前面を伝って軒樋条溝６に流入され、軒樋条溝６を軒樋長さ方向に伝って軒樋１の長さ方向の端部から排水されるようになっている。なお、この軒樋条溝６は軒樋長さ方向に延びるラインを現出することから軒樋１の外観のアクセントともなり、軒樋１の外観の向上に資するものとなっている。
【０００３】
また、上記軒樋１を接続させるには軒樋継手２が用いられるが、この軒樋継手２は軒樋１の外面に沿わせ得るように軒樋１の外形より一廻り大きい形状に施され、つまり底面部８の屋外側端部から前面部９を立設させると共に底面部８の屋内側端部から後面部１０を立設し、前面部９を軒樋１の上前壁部４ａを被覆する上前面部９ａと下前壁部４ｂを被覆する下前面部９ｂとで構成すると共に、上前面部９ａと下前面部９ｂとの間に軒樋条溝６の前面を覆うような継手条溝１７を形成して構成されている。ここで、この継手条溝１７は軒樋条溝６の外面を被覆することから軒樋条溝６よりも浅い溝に形成される。
【０００４】
そして、長さ方向の端部同士を対向させた隣接する軒樋１を接続させるには、この隣接する軒樋１の長さ方向の端部間に軒樋継手２を配置し、軒樋継手２の軒樋長さ方向の端部における内面にそれぞれ軒樋１の外面を沿わせて固定することで行われる。なお、本例では、軒樋継手２の内部に内押え部材１８を配置し、この内押え部材１８で軒樋１を軒樋継手２に押圧させることで隣接する軒樋１の接続を行わせている（たとえば、特許文献１参照）。
【０００５】
【特許文献１】
特開平１１−４４０６１号公報
【０００６】
【発明が解決しようとする課題】
ところで、一般的に、軒樋１の接続部位の外観は、軒樋１と軒樋継手２との境界部位で、軒樋１と軒樋継手２との形状のギャップによって外観の統一性が損なわれ、外観が低下してしまうといったことが指摘されている。特に図９，１０の軒樋１や軒樋継手２にあっては、その前面に軒樋条溝６や継手条溝１７が形成されており、この軒樋条溝６や継手条溝１７は上述したように溝深さが異なることから、軒樋１と軒樋継手２との境界部位での軒樋条溝６と継手条溝１７とが特に違和感を生じさせてしまい、外観の統一性を損なわせるといった問題があった。また、上記軒樋１や軒樋継手２では、軒樋条溝６や継手条溝１７から雨水が溢れた場合、軒樋１の下前壁部４ｂや軒樋継手２の下前面部９ｂで雨だれをしてしまい、この雨だれによって流下痕が生成され、この流下痕によって外観が著しく低下してしまうといった問題が指摘されている。特に、継手条溝１７は軒樋条溝６に比べて浅い溝に形成されているので、図１０（ｂ）の矢印Ｅに示すように継手条溝１７を伝って下前面部９ｂに雨水が流下し易く、これがために下前面部９ｂに流下痕を生成させ易いといったことが指摘されていた。
【０００７】
本発明は上記の点に鑑みてなされたものであり、その目的としては、軒樋と軒樋継手とを違和感少なく接続させることで外観の向上を図り、他の目的としては、軒樋継手に流下痕の生成防止を行うことで良好な外観の維持を図る軒樋の接続構造を提供することを課題とするものである。
【０００８】
【課題を解決するための手段】
上記課題を解決するために本発明に係る軒樋の接続構造は、隣接する軒樋１の長さ方向の端部同士を対向して配置し、この隣接する軒樋１の間に軒樋継手２を配置し、軒樋継手２の内面にそれぞれの軒樋１の外面を沿わせて接続し、軒樋１の屋外側に位置する前壁部４を上前壁部４ａと下前壁部４ｂとで構成すると共に、上前壁部４ａと下前壁部４ｂとの間に軒樋長さ方向に亙って屋内側に凹没した軒樋条溝６を形成し、上前壁部４ａを上方程屋内側に傾斜させ、軒樋継手２の前面部９を上前壁部４ａを被覆する上前面部９ａと下前壁部４ｂを被覆する下前面部９ｂとで構成し、上前面部９ａと下前面部９ｂとの間に軒樋長さ方向及び屋外側に開口するスリット１１を形成し、このスリット１１を通して軒樋条溝６を屋外側に露出させたことを特徴とする。これによると、軒樋継手２内に位置した軒樋１の長さ方向の端部でも軒樋条溝６はスリット１１を介して外方に露出されることから、軒樋１と軒樋継手２との境界部位における外観は、軒樋１の他の部分同様、軒樋条溝６が外方に露出したものとなって、統一感のあるものとでき、軒樋１の接続部位の外観を良好にすることができる。
【０００９】
また、上方程屋内側に傾斜させた上前面部９ａの下端を下前面部９ｂよりも屋外側に位置させ、上前面部９ａの下端に下方に行く程肉厚が薄くなって尖る水切り突条１５を形成したことも好ましい。これによると、軒樋継手２の上前面部９ａに降り掛かった雨水は上前面部９ａの下端の水切り突条１５から下方に滴り落とされ、加えて、下前面部９ｂは上前面部９ａの下端よりも屋内側に位置しているから、水切り突条１５から滴り落ちる雨水は下前面部９ｂに当たらないようにされ、したがって、下前面部９ｂに雨だれによる流下痕を生成させないようにできることから、軒樋１の接続部位での外観を良好に維持することができる。
【００１０】
また、軒樋継手２の軒樋長さ方向の中央部で上前面部９ａの下端と下前面部９ｂの上端とを連結リブ１２にて連結し、この連結リブ１２の上前面部９ａ側の部位に水切り用の凹溝部１３を上方に凹没させて形成したことも好ましい。これによると、軒樋継手２の左右中央部では、上前面部９ａの下端と下前面部９ｂの上端とが連結リブ１２によって連結されたことで、上前面部９ａに降り掛かった雨水がこの連結リブ１２を伝って下前面部９ｂに流下する恐れのある構造となっているが、連結リブ１２の上前面部９ａ側の部位に水切り用の凹溝部１３を上方に凹没させて形成したことによって、上前面部９ａに降り掛かった雨水は連結リブ１２に伝わる前に上記凹溝部１３によって確実に滴り落とされ、したがって、下前面部９ｂに雨だれによる流下痕を生成させないようにできることから、軒樋１の接続部位での外観を良好に維持することができる。
【００１１】
【発明の実施の形態】
本発明は、軒樋継手２を介し、隣接する軒樋１をその長さ方向に一直線状に接続した軒樋の接続構造において、軒樋１と軒樋継手２との境界部位での形状のギャップによる外観低下、雨だれが残す流下痕による外観低下を防止して、良好な外観を確保できるようにしたことにある。以下、本発明を添付図面に示す実施形態に基づいて説明する。
【００１２】
図１乃至図５に本発明の実施の形態の例を示す。
【００１３】
建物の軒先に沿って取付けられる軒樋１は、図２に示すように、底壁部３の屋外側端部から前壁部４を立設させると共に底壁部３の屋内側端部から後壁部５を立設させて形成される縦断面略Ｕ字状の長尺部材であり、前壁部４は上前壁部４ａと下前壁部４ｂとで構成され、上前壁部４ａと下前壁部４ｂとの間には軒樋長さ方向に亙って屋内側に凹没させた軒樋条溝６が形成されて構成されている。この軒樋条溝６は、従来技術にある排水機能は備えるものではないが、その外観に軒樋の長さ方向に延びるラインを現出させて外観にアクセントをつけるといった機能を有している。また、上前壁部４ａは上方程屋内側に傾斜しており、下前壁部４ｂは下方程屋内側に傾斜しており、上前壁部４ａの下端は下前壁部４ｂの上端よりも屋外側に位置されている。また、上前壁部４ａの下端には、軒樋１の長さ方向に亙って、下方に行く程肉厚が薄くなって尖る水切り縁７が形成されている。つまり、この軒樋１はいわゆる角型軒樋であり、上前壁部４ａに降り掛かった雨水は水切り縁７から下前壁部４ｂに当たらないように下方に滴り落とされるようにされており、下前壁部４ｂに雨水の流下痕を生成させないようにされたものである。この軒樋１はその長さ方向の端部同士を対向配置させながら一直線状に連続配置されるが、隣接する軒樋１は対向する長さ方向の端部間に配置した下記の軒樋継手２によって接続される。
【００１４】
軒樋継手２は、図２，３に示すように、軒樋１の外面に沿わせ得るように軒樋１の外形より一廻り大きい形状に施されるものであり、つまり、底面部８の屋外側端部から前面部９を立設させると共に底面部８の屋内側端部から後面部１０を立設し、この前面部９を軒樋１の上前壁部４ａを被覆する上前面部９ａと下前壁部４ｂを被覆する下前面部９ｂとで構成し、上前面部９ａと下前面部９ｂとの間には左右及び内外に開口したスリット１１が形成されている。ここで、左右方向は軒樋の長さ方向であり、内外方向は屋内と屋外とを結ぶ方向である。詳しくは、上前面部９ａは上方程屋内側に傾斜しており、下前面部９ｂは下方程屋内側に傾斜している。そして、上前面部９ａの下端は下前面部９ｂの上端よりも屋外側に位置している。つまり下前面部９ｂは上前面部９ａの下端よりも屋内側に配置されている。スリット１１を介して上下に離れて配置された上前面部９ａと下前面部９ｂとは、軒樋継手２の左右方向の中央部に設けた連結リブ１２によって連結されている。この連結リブ１２は、上前面部９ａの下端から屋内側に突出すると共に軒樋継手２の内部で屋外側に屈曲して下前面部９ｂの上端に至るように形成された縦断面横向きＵ字状の屈曲片であり、軒樋１における軒樋条溝６の縦断面と略同様の縦断面に形成されている。更に言うと、この連結リブ１２の上前面部９ａ側の部位には水切り用の凹溝部１３が設けられている。この凹溝部１３は連結リブ１２の下面から上方に凹没され且つ連結リブ１２の左右に亙るように形成されている。また、連結リブ１２の屋内側の部位には水止め部１４が屋内側に突設されている。この水止め部１４は、軒樋継手２に接続された一対の軒樋１の間を遮断するように位置し、軒樋１の軒樋条溝６を流れた雨水が対向する軒樋１の軒樋条溝６に流れ込むといったことを防止すると共に、この雨水を軒樋継手２内に滞りなく流下させる役割を担うものである。また、上前面部９ａの下端には下方程肉厚を薄くして尖るようにした水切り突条１５が形成されている。本例の水切り突条１５は、上前面部９ａの下端の左右方向に亙ると共に、板状の上前面部９ａの下端からそのまま平行に延出されるように形成されている。なお、連結リブ１２のある軒樋継手２の左右方向の中央部では、水切り突条１５の屋内側に凹溝部１３が隣接して位置されている。この凹溝部１３は下前面部９ｂよりも屋外側に位置している。
【００１５】
この軒樋継手２によって隣接する軒樋１を接続させるには、軒樋継手２内にその左右から各軒樋１の長さ方向の端部をそれぞれ挿入し、軒樋継手２の内面に各軒樋１の外面を沿わせて固定させることで行われる。ここで、一対の軒樋１の軒樋継手２への挿入は、軒樋１の長さ方向の端部を連結リブ１２の左右端部に突き合わせて当接させるように行われる。つまり、連結リブ１２は軒樋１の挿入深さを規定する役割を担うものである。なお、従来技術にあるように、軒樋継手２の内部に内押え部材１８を配置して軒樋１を軒樋継手２に押圧させるようにしてもよい。
【００１６】
このように構成された軒樋の接続構造では、図１，２に示すように、軒樋継手２のスリット１１の内側に軒樋１の軒樋条溝６が重なるように位置され、スリット１１から軒樋条溝６が外方に露出されるようになっている。しかして、軒樋の接続構造の外観は、軒樋継手２の内部に軒樋１が入り込むといった形状のギャップによって目が行き易い軒樋継手２と軒樋１との境界部分でも、軒樋１の他の部分同様、軒樋条溝６が外方に露出した状態になっており、つまり、軒樋条溝６が現出させる外観のアクセントとなるラインを軒樋長さ方向に連続させて統一感を強調した外観とできることから、軒樋１の接続部位の外観が良好なものとなっている。
【００１７】
また、建物の軒先に配設された軒樋１及び軒樋継手２は建物の下から見上げられることが多く、つまり、軒樋１の下前壁部４ｂ、軒樋継手２の下前面部９ｂが特に軒樋１及び軒樋継手２の外観を現出することとなる。そして、この軒樋１の下前壁部４ｂ、軒樋継手２の下前面部９ｂに雨だれなどの流下痕が残っていると、この流下痕によって軒樋１及び軒樋継手２の外観が著しく低下してしまう。しかしながら、本例の軒樋１、軒樋継手２は、この下前壁部４ｂ、下前面部９ｂへの流下痕の生成防止が図られており、この点でも軒樋１及び軒樋継手２、及びその接続構造の良好な外観の維持が図られている。
【００１８】
詳しくは、軒樋１にあっては、上前壁部４ａの下縁の水切り縁７によって上前壁部４ａの雨水が滴り落とされるのであるが、下前壁部４ｂは上前壁部４ａの下縁よりも屋内側に位置しているので、上記雨水は下前壁部４ｂに触れることがなく、したがって下前壁部４ｂには雨水の流下痕は生成されないようにされている。また、軒樋継手２にあっては、上前面部９ａの下縁の水切り突条１５によって上前面部９ａの雨水が滴り落とされるのであるが、下前面部９ｂは上前面部９ａの下縁よりも屋内側に位置しているので、上記雨水は下前面部９ｂに触れることがなく、したがって下前面部９ｂには雨水の流下痕は生成されないようにされている。なお、軒樋継手２の左右中央部分では連結リブ１２によって上前面部９ａと下前面部９ｂとが連結されているので、図６の矢印Ｂのように上前面部９ａを流下した雨水が上前面部９ａの水切り突条１５を廻り込んでしまうと、連結リブ１２を伝って下前面部９ｂに流下してしまうといった恐れがあるが、本例では図４に示すように連結リブ１２の上前面部９ａ側の部位には水切り用の凹溝部１３が設けられているので、たとえ上前面部９ａの水切り突条１５を廻り込んで連結リブ１２に雨水が流れようとしても、この凹溝部１３で確実に水切りが行われるようにされている（矢印Ｃ）。詳しくは、本例の凹溝部１３は１粒の水滴だけを付着収容できる程度の大きさのくぼみに形成され、水滴が付着した凹溝部１３に新たな水滴が流入したときには、該凹溝部１３は新たな水滴と一体になった２粒分の量の水滴を付着させることはできないため、自重によって水滴は確実に下方に滴り落とされるようにされている。このように、軒樋１及び軒樋継手２では流下痕の生成防止が施されているので、軒樋１及び軒樋継手２、及びその接続構造の外観低下が防止されているのである。
【００１９】
また、軒樋１の接続部位では、その外観向上を図るため、軒樋１の水切り縁７の先端と軒樋継手２の水切り突条１５の先端とを略２５°の仰角線Ａ上に位置させている。つまり、軒樋１が配設される１階軒先を建物から３ｍ離れて見上げたときにはその視線の仰角は略２５°になるものであり、この視線によっては軒樋１の水切り縁７が軒樋継手２の水切り突条１５に重なって隠れるようになり、軒樋１の接続部位の外観がすっきりとしたものとされ、これによって外観の向上が図られているのである。
【００２０】
また、図５に示すように、連結リブ１２のある軒樋継手２の左右中央部における前面部９の部位の肉厚を他の部分に比べて厚くし、軒樋継手２の剛性強度を向上させることも好ましい。この例では、前面部９の上下に亙る補強リブ１６を前面部９の内側に一体に突設させている。これによると、軒樋の接続構造における外観への影響は回避しながらも、スリット１１を設けたことで低下する前面部９の剛性強度を補強することができるのである。また、この補強リブ１６の左右の端面に軒樋継手２内に挿入された軒樋１の長さ方向の端部が当接される。これによると、軒樋１の軒樋継手２内への挿入長さをより正確に規定することができるのである。
【００２１】
また、図７及び８には本発明の実施の形態の他例を示す。この例は、先の実施の形態の例と比べて主に軒樋継手２の水切り突条１５の形状を変えた例であり、先の実施の形態の例と同様部位には同符合を付して説明を省き、異なる部分につき説明する。
【００２２】
本例の水切り突条１５は、先端程屋内側に尖るような形状に施され、この水切り突条１５の先端が軒樋１の水切り縁７の先端に一致するようにされている。つまり、軒樋継手２の前面部９を流下した雨水は水切り突条１５及び水切り縁７の先端から滴り落とされるようになっている。なお、たとえ軒樋継手２の前面部９を流下した雨水が水切り突条１５及び水切り縁７を廻り込んだとしても、軒樋１の軒樋条溝６に流入され、軒樋条溝６から軒樋継手２内に排水されるようになっている。しかして、本例の軒樋の接続構造にあっても、先の実施の形態の例同様、スリット１１から軒樋条溝６が外方に露出されて統一感が強調された外観となると共に、水切り突条１５の先端が軒樋１の水切り縁７の先端に一致したことですっきりとした外観となり、外観の向上が図られているのであり、加えて、上述したように雨だれ防止、つまり流下痕の生成防止も施されているので、良好な外観の維持も図られている。
【００２３】
【発明の効果】
上記のように本発明の請求項１記載の発明にあっては、隣接する軒樋の長さ方向の端部同士を対向して配置し、この隣接する軒樋の間に軒樋継手を配置し、軒樋継手の端部の内面にそれぞれの軒樋の外面を沿わせて接続し、軒樋の屋外側に位置する前壁部を上前壁部と下前壁部とで構成すると共に、上前壁部と下前壁部との間に軒樋長さ方向に亙って屋内側に凹没した軒樋条溝を形成し、上前壁部を上方程屋内側に傾斜させ、軒樋継手の前面部を上前壁部を被覆する上前面部と下前壁部を被覆する下前面部とで構成し、上前面部と下前面部との間に軒樋長さ方向及び屋外側に開口するスリットを形成し、このスリットを通して軒樋条溝を屋外側に露出させたので、軒樋と軒樋継手との形状のギャップによって目が行き易い軒樋と軒樋継手との境界部位でも、軒樋の他の部分同様、軒樋条溝を外方に露出させた外観とでき、つまり、軒樋の接続部位の外観を、軒樋条溝が現出する軒樋長さ方向のラインが連続するといった統一感を強調した外観にでき、外観の向上を図ることができるのである。
【００２４】
また、請求項２記載の発明にあっては、請求項１の効果に加え、上方程屋内側に傾斜させた上前面部の下端を下前面部よりも屋外側に位置させ、上前面部の下端に下方に行く程肉厚が薄くなって尖る水切り突条を形成したので、軒樋継手の上前面部に降り掛かった雨水は上前面部の下端の水切り突条から下前面部に当たらないように下方に滴り落とされ、つまり下前面部での流下痕の生成防止が施され、軒樋の接続部位での良好な外観の維持を図ることができるのである。
【００２５】
また、請求項３記載の発明にあっては、請求項１の効果に加え、軒樋継手の軒樋長さ方向の中央部で上前面部の下端と下前面部の上端とを連結リブにて連結し、この連結リブの上前面部側の部位に水切り用の凹溝部を上方に凹没させて形成したので、上前面部に降り掛かった雨水は連結リブに伝わる前に上記凹溝部によって確実に滴り落とされ、つまり下前面部での流下痕の生成防止が施され、軒樋の接続部位での良好な外観の維持を図ることができるのである。
【図面の簡単な説明】
【図１】本発明の実施の形態の例の軒樋の接続構造の斜視図である。
【図２】同上の軒樋の接続構造の縦断面図である。
【図３】同上の軒樋継手の正面図である。
【図４】同上の軒樋継手の雨水の流れを説明する説明図である。
【図５】同上の他例の軒樋継手の内部の斜視図である。
【図６】比較例の軒樋継手の雨水の流れを説明する説明図である。
【図７】本発明の実施の形態の他例の縦断面図である。
【図８】図７のＦ部の拡大図である。
【図９】従来技術の例を示す分解斜視図である。
【図１０】（ａ）は同上の軒樋の接続構造の斜視図であり、（ｂ）は要部断面図である。
【符号の説明】
１  軒樋
２  軒樋継手
４  前壁部
４ａ  上前壁部
４ｂ  下前壁部
６  軒樋条溝
７  水切り縁
９  前面部
９ａ  上前面部
９ｂ  下前面部
１１  スリット
１２  連結リブ
１３  凹溝部
１５  水切り突条
【図１】
2004211464.tif 000003
【図２】
2004211464.tif 000004
【図３】
2004211464.tif 000005
【図４】
2004211464.tif 000006
【図５】
2004211464.tif 000007
【図６】
2004211464.tif 000008
【図７】
2004211464.tif 000009
【図８】
2004211464.tif 000010
【図９】
2004211464.tif 000011
【図１０】
2004211464.tif 000012